(57)【要約】【課題】携帯電話に接続されたＩＣカードに外部装置が直接アクセスして、携帯通信端末のプログラムを制御する技術を提供することを目的とする。【解決手段】携帯通信端末に格納されたプログラムを、取り外し可能に搭載した記録担体を介して外部装置から制御可能とした携帯通信端末であって、携帯通信端末は、少なくとも操作部と、表示部と、記録担体との接続部とを有し、記録担体は、ＩＣモジュールと、携帯通信端末と接続するための第１の接続部と、外部装置と接続するための第２の接続部とを有し、記録担体は、外部装置から第２の接続部を介して受信した携帯端末に対する命令、または、制御情報を記録担体の記憶部に格納した後トリガー信号を発信し、携帯通信端末は、前記トリガー信号を感知して記録担体の記憶部から所定の命令、または、制御情報を読み出し、所定のプログラムを実行する携帯通信端末を提供する。【選択図】  図１
2004221721.tif 000002
【特許請求の範囲】
【請求項１】
携帯通信端末に格納されたプログラムを、取り外し可能に搭載した記録担体を介して外部装置から制御可能とした携帯通信端末であって、
携帯通信端末は、少なくとも操作部と、表示部と、記録担体との接続部とを有し、
記録担体は、ＩＣモジュールと、携帯通信端末と接続するための第１の接続部と、外部装置と接続するための第２の接続部とを有し、
記録担体は、外部装置から第２の接続部を介して受信した携帯端末に対する命令、または、制御情報を記録担体の記憶部に格納した後トリガー信号を発信し、
携帯通信端末は、前記トリガー信号を感知して記録担体の記憶部から所定の命令、または、制御情報を読み出し、所定のプログラムを実行することを特徴とする記録担体を搭載した携帯通信端末。
【請求項２】
命令、または、制御情報は、携帯通信端末に格納されたプログラムの機能を一時停止する情報であることを特徴とする請求項１に記載の記録担体を搭載した携帯通信端末。
【請求項３】
命令、または、制御情報は、携帯通信端末に格納されたプログラムを起動する情報であることを特徴とする請求項１に記載の記録担体を搭載した携帯通信端末。
【請求項４】
第１、第２の接続部は、何れも非接触交信用のアンテナ、または、コイルであることを特徴とする請求項１に記載の記録担体を搭載した携帯通信端末。
【請求項５】
第１の接続部は、記録担体の表面に形成された接触交信用接続端子で、第２の接続部は記録担体に内蔵された非接触交信用アンテナ、または、コイルであることを特徴とする請求項１に記載の記録担体を搭載した携帯通信端末。
【請求項６】
記録担体は、ＵＩＭカードで、携帯通信端末は、携帯電話であることを特徴とする請求項１〜６何れか１項に記載の記録担体を搭載した携帯通信端末。
【請求項７】
外部装置は、記録担体と交信する前に記録担体と相互認証を行なうことを特徴とする請求項１〜６何れか１項に記載の記録担体を搭載した携帯通信端末。
【請求項８】
命令、または、制御情報によって携帯通信端末の表示部に表示された表示画面は、操作部によって制御可能なことを特徴とする請求項１〜７何れか１項に記載の記録担体を搭載した携帯通信端末。
【発明の詳細な説明】
【０００１】
【発明の属する技術分野】
本発明は、記録担体を搭載した携帯通信端末に関し、詳しくは、携帯通信端末に格納されたアプリケーション等のプログラムを、前記記録担体を介して制御する記録担体を搭載した携帯通信端末に関する。
【０００２】
【従来の技術】
携帯電話には電話帳機能があって、少なくとも名前と電話番号を登録できるようになっているが、ＩＣカードを接続しＩＣカードの記録部に本人のＩＤ番号や前記電話番号などを記録して利用する技術が開示されている（特許文献１参照）。
また、携帯電話機の設定変更を行なう際のプログラムや情報の入力手段としてＩＣカードを利用する技術が開示されている（特許文献２参照）。
【０００３】
これら開示されている技術は、接続されているＩＣカードを携帯電話機の外部メモリとして、またプログラム等の入力手段として位置付けている。
また、ＩＣカードに家庭で使用している電話の電話番号を記憶させ、使用した携帯電話機による通話料金を前記電話の銀行口座から引き落とすようにしている利用例などが有る。
【０００４】
【特許文献１】
特開平１１−２３４３８５号公報
【特許文献２】
特開２００２−２５９８６９号公報
【０００５】
【発明が解決しようとする課題】
前述の技術は、ＩＣカードに記録された情報を携帯電話本体の操作部を操作して読み出す技術であるが、本発明は、携帯電話に接続されたＩＣカードに外部装置が直接アクセスして、携帯通信端末のプログラムを制御する技術を提供することを目的とするものである。
【０００６】
【課題を解決するための手段】
前記課題の目的を達成するために、本発明の記録担体を搭載した携帯通信端末の請求項１に記載の発明は、携帯通信端末に格納されたプログラムを、取り外し可能に搭載した記録担体を介して外部装置から制御可能とした携帯通信端末であって、携帯通信端末は、少なくとも操作部と、表示部と、記録担体との接続部とを有し、記録担体は、ＩＣモジュールと、携帯通信端末と接続するための第１の接続部と、外部装置と接続するための第２の接続部とを有し、記録担体は、外部装置から第２の接続部を介して受信した携帯端末に対する命令、または、制御情報を記録担体の記憶部に格納した後トリガー信号を発信し、携帯通信端末は、前記トリガー信号を感知して記録担体の記憶部から所定の命令、または、制御情報を読み出し、所定のプログラムを実行することを特徴とするものである。
【０００７】
また、請求項２に記載の発明は、請求項１に記載の発明において、命令、または、制御情報は、携帯通信端末に格納されたプログラムの機能を一時停止する情報であることを特徴とするものである。
【０００８】
また、請求項３に記載の発明は、請求項１に記載の発明において、命令、または、制御情報は、携帯通信端末に格納されたプログラムを起動する情報であることを特徴とするものである。
【０００９】
また、請求項４に記載の発明は、請求項１に記載の発明において、第１、第２の接続部は、何れも非接触交信用のアンテナ、または、コイルであることを特徴とするものである。
【００１０】
また、請求項５に記載の発明は、請求項１に記載の発明において第１の接続部は、記録担体の表面に形成された接触交信用接続端子で、第２の接続部は、記録担体に内蔵された非接触交信用アンテナ、または、コイルであることを特徴とするものである。
【００１１】
また、請求項６に記載の発明は、請求項１〜５何れか１項に記載の発明において記録担体は、ＵＩＭカードで、携帯通信端末は、携帯電話であることを特徴とするものである。
【００１２】
また、請求項７に記載の発明は、請求項１〜６何れか１項に記載の発明において外部装置は、記録担体と交信する前に記録担体と相互認証を行なうことを特徴とするものである。
【００１３】
また、請求項８に記載の発明は、請求項１〜７何れか１項に記載の発明において命令、または、制御情報によって携帯通信端末の表示部に表示された表示画面は、操作部によって制御可能なことを特徴とするものである。
【００１４】
【発明の実施の形態】
以下、図面を参照して本発明の記録担体を搭載した携帯通信端末について説明する。
図１は、本発明の記録担体を搭載した携帯通信端末の運用例について説明するための図、図２は、記録担体の接続部の一実施形態について説明するための図、図３は、記録担体を搭載した携帯通信端末の機能の一例について説明するためのブロック図、図４は、記録担体に制御プログラムを書き込む手順の一例について説明するための図、図５は、本発明の記録担体を搭載した携帯通信端末を使用する場合の手順の一例について説明するための図である。
【００１５】
図１を参照して本発明の記録担体を搭載した携帯通信端末の運用例について説明する。
携帯電話に搭載される取り外し可能な記録担体として、第２世代携帯電話であるＧＳＭに搭載されているＳＩＭ（Ｓｕｂｓｃｒｉｂｅｒ  Ｉｄｅｎｔｉｔｙ  Ｍｏｄｕｌｅ）カード、更にその次世代版携帯電話に搭載されているＵＩＭ（Ｕｓｅｒ  Ｉｄｅｎｔｉｔｙ  Ｍｏｄｕｌｅ）カードが知られている。
ＵＩＭカード１は、大きさが１５×２５ｍｍ、厚さ０．８ｍｍ程度の小型のＩＣカードで、次世代（３Ｇ）携帯電話には標準搭載される。
【００１６】
携帯通信端末２は、操作部２１、表示部２２、送信部２３を備え、取り外し可能な外部メモリであるＵＩＭカード１を搭載している。
代表的な携帯通信端末として、ＰＤＡや、携帯電話があるが、本実施の形態では第３世代携帯電話を対象として説明する。
また、以下の説明では、記録担体をＵＩＭカード、携帯通信端末を携帯電話の例で説明する。
携帯電話２の操作部２１、およびその周辺には操作ボタン、撮像部、マイク等が組み込まれている。
表示部２２として、液晶などの表示パネルが組み込まれている。
また、送信部２３として、固定式、または引き出し可能なアンテナが携帯電話の上部に取り付けられている。
【００１７】
ＵＩＭカード１は、携帯電話２の側面に設けられた挿入口（図示せず）から挿入されたり、裏側の蓋を開いてバッテリーの内側、または外側の所定の凹部に固定されて使用される。
【００１８】
まず、携帯電話２の裏側を、所定のアプリケーションの外部装置３に近付けて、ＵＩＭカード１に格納されている鍵と外部装置３から送信される鍵を認証（照合）する。
外部装置３は、認証結果ＯＫであることを確認し、ＵＩＭカード１に対して所定のアプリケーションファイル開錠信号と、携帯電話本体に格納されているアプリケーションプログラムに命令したり、アプリケーションプログラムを制御するための制御信号を送信する。ＵＩＭカード１は、ＵＩＭカードの情報格納部に前記制御信号情報を格納し、携帯電話本体にアプリケーションの立ち上げを促すトリガー信号を発信する。
一方、携帯電話２は、アプリケーション立上げ待機の状態になっており、ＵＩＭカード１からのトリガー信号を感知すると、所定のアプリケーションに対する制御情報（制御コマンド）を読み出して、アプリケーションの立上げ待機状態を一時停止の状態に変更する。
逆に、通常閉じた状態で格納されているアプリケーションファイルに対して所定の制御コマンドが送信された場合は、閉じた状態が解除され、携帯電話２の画面操作によって表示部２２にアプリケーション情報を表示する。
【００１９】
図２を参照してＵＩＭカード１の接続部の一実施形態について説明する。
前述のように、ＵＩＭカード１は、大きさが１５×２５ｍｍ、厚さ０．８ｍｍ程度の小型ＩＣカードで、プラスチックなどの絶縁体による基体にＩＣモジュールを実装したものである。
絶縁体による基体には、塩化ビニール重合体，塩化ビニール・酢酸ビニール共重合体、ポリエチレンテレフタレート、ポリプロピレン、アクリル等の単体、または複合体が使用される。
【００２０】
ＩＣモジュールの接触交信用接続端子１１は、ａ図に示すように独立した６〜１０に区画された、金属などの導電性のプレートで構成され、ＵＩＭカード基体の表面に露出するように形成されている。
接触交信用接続端子１１は、携帯電話側の接点と接触して、ＩＣモジュール内のＩＣチップのＣＰＵと携帯電話のＣＰＵが電気的に導通するように形成されている。
【００２１】
また、ｂ図に示すようにＵＩＭカード１の裏側は、上述のプラスチック樹脂面になっている。
プラスチック樹脂の内側には、アンテナ、またはコイル（以下単に、アンテナという。）１２が埋設されており、アンテナ１２の先端と、終端がＩＣチップ１０のアンテナ接続端子１１１に接続されている。
ａ図に示す区画された導電性の接続端子１１は、それぞれＩＣチップの接続端子（図示せず）に接続されている。
【００２２】
図２のａ図に示す接触型端子１１と、ｂ図に示すアンテナ１２がＩＣチップのメモリを共有するＩＣカードを接触型非接触型両用ＩＣカードという。
図２に示すような接触型非接触型両用ＩＣカードは、装置側の接続手段が接触型、非接触型何れであっても一枚のＩＣカードで対応できるようになっている。
【００２３】
図３を参照して、ＵＩＭカードを搭載した携帯電話の機能について説明する。
携帯電話の筐体の外側に露出している部分は、操作ボタンの操作部２１、ディスプレイなどの表示部２２、アンテナなどの通信部２３、表示していないがマイク、スピーカ、カメラ等の入出力部などで構成されている。
また、一部露出している部分としてヘッドホーンや、外部電源などを接続するＩ／Ｏ部２０２等が組み込まれている。
操作部２１、表示部２２、通信部２３、表示していないが電源部は制御部であるＣＰＵ２０１に接続されている。
また、ＣＰＵ２０１には、携帯電話本体の制御プログラムが格納されているＲＯＭ２０３、受信したデータを含む情報を一時的に保管し操作するＲＡＭ２０４、受信したデータ、または情報を保管する情報格納部２０５が接続されている。
【００２４】
前記情報格納部２０５には、複数のアプリケーションプログラムが格納される。このアプリケーションプログラムにはアプリケーション検索キーがタグ付けされており、ＵＩＭカード１から発信されるトリガー信号を感知して、ＵＩＭの情報格納部に格納された所定のアプリケーションの制御コマンドを読出し、携帯電話本体に格納されているアプリケーションプログラムの制御を行なう。
【００２５】
携帯電話２に搭載されているＵＩＭカード１は、インターフェイス部（ＩＦ１：第１の接続部）１１、インターフェイス部（ＩＦ３：第３の接続部）２１０を介して携帯電話２の本体と接続されている。
インターフェイス部１１は、使用されるＵＩＭカード１が接触型非接触型両用カードであれば接触交信用の外部端子（図２の外部端子２１参照）であり、非接触型ＵＩＭカードであれば非接触交信用のアンテナである。
また、インターフェイス部（ＩＦ２：第２の接続部）１２は、アプリケーション端末や、アプリケーションサーバー等に直接、または、間接的に接続されている外部装置と接続するための非接触交信用のアンテナである。
【００２６】
図３のインターフェイス部１１、および１２は、ＵＩＭカード１に実装されているＩＣチップ１０の制御部であるＣＰＵ１０１に接続されている。
ＣＰＵ１０１は、アプリケーション別の制御プログラムや、その他データを制御するプログラムが格納されているＲＯＭ１０２、受信情報等を一時的に保管し操作するＲＡＭ１０３、アプリケーションプログラムを制御する制御コマンド、相互認証用鍵、その他データを保管する情報格納部１０４に接続されている。
【００２７】
図４を参照して、携帯電話にアプリケーションプログラムを書き込む手順の一例について説明する。
携帯電話にＵＩＭカードを装着し、携帯電話を受信待機状態にする（Ｓ３１）。アプリケーションサービス提供者の外部装置を立上げる（Ｓ３２）。外部装置としては、例えば、コンビニエンスストア等の入口のドア、会場の入口に設置されているゲート、売り場に設置されているレジスター端末、銀行のＡＴＭ等である。
【００２８】
サービスの提供を希望する顧客は、書き込みが可能な外部装置で顧客コードの申請を行う（Ｓ３３）。サービス提供者の電話サーバーに接続された外部装置は、申請した顧客の審査を行ない、審査基準を満たしている顧客に対して顧客コードを生成し、顧客登録を行なう（Ｓ３４）。電話サーバーは、顧客コード、アプリケーションプログラム、アプリケーションプログラムを制御する制御プログラム、認証鍵、を顧客のＵＩＭカードに送信する（Ｓ３５）。
申請した顧客は、顧客コード、アプリケーションプログラム、アプリケーションプログラムを制御する制御プログラム、認証鍵を受信する（Ｓ３６）。
Ｓ３６で受信したアプリケーションプログラムは携帯電話の情報格納部に格納され、制御プログラムの１部は認証鍵をタグ付けしてＵＩＭカードの格納部に格納される（Ｓ３７）。
【００２９】
図５を参照して、記録担体（ＵＩＭカード）を搭載した携帯通信端末（携帯電話）を所定のアプリケーションで使用する場合の手順の一例について説明する。携帯電話本体、携帯電話に装着されたＵＩＭカードは、それぞれ待機状態になっている。
また、外部装置も所定のアプリケーションプログラムが搭載された携帯電話に向けて、常に信号を発信している状態か、常にポーリングできる状態のいわゆる受信待機状態になっている。
外部装置の送受信部に携帯電話のＵＩＭカードが装着されている側を翳し外部装置と交信させる（Ｓ４１）。
アプリケーションによっては、ＵＩＭカードのアンテナに外部装置から強力な無線電波を放射し、前記アプリケーションプログラムを搭載しているＵＩＭカードに対し、能動的にアクセスし、ＵＩＭカードを起動させる場合もある。
ＵＩＭカードを外部装置に翳すと、外部装置は、ＵＩＭカードのアンテナに信号を送ってＵＩＭカードを起動し、ＵＩＭカードの情報格納部に格納されているファイルの中のアプリケーション照合のための認証鍵にアクセスし認証する（Ｓ４２）。
ＵＩＭカードは、情報格納部に格納された鍵情報と外部装置から提供された鍵情報を照合し、認証を行なう（Ｓ４３）。
【００３０】
外部装置は、認証結果が一致していることを確認し、ＵＩＭカードに対し所定のプログラムに命令する命令コマンド、または、所定のプログラムを制御するための制御コマンドを送信する。
携帯電話は、前記命令コマンド、または、制御コマンドをＵＩＭカードの情報格納部に格納する（Ｓ４４）。
ＵＩＭカードは、携帯電話本体に対しアプリケーション制御信号を受信したことを知らせるためのトリガー信号を発信する（Ｓ４５）。
上記Ｓ４１からＳ４５までの手順は極めて短時間で行なわれる。
携帯電話本体は、トリガー信号を感知して、ＵＩＭの情報格納部から所定のアプリケーション制御コマンドを読み出し、アプリケーションを実行する（Ｓ４６）。
前記トリガー信号の具体的な感知方法として、携帯電話が常にＵＩＭカードをポーリングしている状態にしておく方法（前記第１の接続部が非接触方式の場合に適用する。）や、ＵＩＭカードの電圧変化をキャッチする方法（前記第１の接続部が接触方式の場合に適用する。）などがある。
携帯電話に搭載されているＵＩＭカードは、一定間隔でアプリケーション環境を確認し、アプリケーション環境の圏外に居ることを確認してアプリケーションプログラムの制御を解除する（Ｓ４７）。
アプリケーションプログラムの制御解除手段は、外部装置が設置されている場所から退出する際に退出ゲートに設置されていても良いし、携帯電話の操作部の所定ボタンによって解除しても良い。
【００３１】
以下に具体的な実施例について説明する。これらの実施例では、ＵＩＭカード、アプリケーション側外部装置は、それぞれＩＳＯ７８１６、ＩＳＯ／ＩＥＣ１４４４３に準拠したものを使用した。
【００３２】
（実施例１）
ポイントシステムを導入している店舗の決済端末の、所定の場所に携帯電話を翳し、ＵＩＭカードに記録されているポイント情報ファイルを開錠し、ポイント累計を携帯電話の表示部で確認した。
ポイント情報ファイルを開錠する際にパスワードの入力を要請され、携帯電話の操作部からパスワードを入力し照合させた。店舗出口の所定の位置に携帯電話を翳し再びポイント情報ファイルを施錠した。
【００３３】
（実施例２）
電子マネーシステムを導入している店舗の決済端末の、所定の場所に携帯電話を翳し、ＵＩＭカードに記録されている残高情報ファイルを開錠し、残高を携帯電話の表示部で確認した。
残高情報ファイルを開錠する際にパスワードの入力を要請され、携帯電話の操作部からパスワードを入力し照合させた。
【００３４】
（実施例３）
時刻調整サービスを提供している店舗や、サービスコーナーに行き、サービス装置の所定の場所に携帯電話を翳し、ＵＩＭカードに記録されている時刻調整情報ファイルを開錠し、制御コマンドによって自動的に時刻を合わせる時刻調整プログラムの起動停止プログラムを解除し携帯電話の時計を調整した。時刻調整プログラムは、一定の時間を経過すると再び時刻調整プログラムの起動停止プログラムが起動し時刻調整を禁止した。
【００３５】
（実施例４）
電車の中は携帯電話を禁止しているため、車両の複数の箇所に、携帯電話の送受信機能を一時停止する信号を送信し続ける装置が設置されている。
オンの状態にしたまま電車に乗った顧客の携帯電話のＵＩＭカードは、前記外部装置が設置されている車両に乗った時点で送受信を一時停止する制御信号を受信し、携帯電話の送受信機能を一時停止した。
顧客に所持された携帯電話のＵＩＭカードは、出札ゲートを通過した時点で送受信機能一時停止を解除する解除命令コマンドによって解除した。
【００３６】
（実施例５）
コンサートホールの中は携帯電話を禁止しているため、コンサートホールの入口を通過する際に、顧客の携帯電話のＵＩＭカードは、携帯電話の送受信機能を一時停止する一時停止命令信号を受信し、携帯電話の送受信機能を一時停止した。
コンサートの予約を行なった際にＵＩＭカードに予約席の番号を記録してもらっているために指定された座席に行き、椅子の所定の位置にＵＩＭカードを翳し座席を開いて座った。
コンサートが終了し、顧客に所持された携帯電話のＵＩＭカードは、出口を通過する時点で送受信機能一時停止を解除する解除命令信号によって送受信機能を回復した。
【００３７】
【発明の効果】
１）  携帯電話の所持率が高くなった今日、携帯電話に接続されたＵＩＭカードに外部装置が直接アクセスして、携帯通信端末のプログラムを制御したり、解除することができるためにアプリケーションによっては携帯電話を所持している者に不快感を抱かせることなく規律などに従わせることができる。
また、高セキュリティー環境のもとでＵＩＭカードに格納されている取引情報等を携帯電話の表示部で確認することができ、取引端末等への無駄なアクセスを低減することができる。
２）  携帯電話の操作ボタンを使用することなくアプリケーションプログラムを制御できるために操作ミスによる無駄が無くなる。
また、劇場など暗い場所でも実行することができる。
【図面の簡単な説明】
【図１】本発明の記録担体を搭載した携帯通信端末の運用例について説明するための図である。
【図２】
記録担体の接続部の一実施形態について説明するための図である。
【図３】記録担体を搭載した携帯端末の機能の一例について説明するためのブロック図である。
【図４】記録担体に制御プログラムを書き込む手順の一例について説明するための図である。
【図５】本発明の記録担体を搭載した携帯通信端末を使用する場合の手順の一例について説明するための図である。
【符号の説明】
１      記録担体（ＵＩＭカード）
２      携帯通信端末（携帯電話）
３      外部装置
４      アプリケーション端末
１０    ＩＣチップ
１１    接触交信用接続部（第１の接続部）
１２    非接触交信用接続部（第２の接続部）
２１    操作部
２２    表示部
２３    送信部
１０１，２０１  ＣＰＵ
１０２，２０３  ＲＯＭ
１０３，２０４  ＲＡＭ
１０４，２０５  情報格納部
２０２  Ｉ／Ｏ部
２１０  携帯通信側の記録担体との接続部
【図１】
2004221721.tif 000003
【図２】
2004221721.tif 000004
【図３】
2004221721.tif 000005
【図４】
2004221721.tif 000006
【図５】
2004221721.tif 000007